(57)【特許請求の範囲】
【請求項１】
商用交流電源通電時はＡＣ−ＤＣ電源により第１電圧を出力し、前記商用交流電源非通電時はバックアップ電源により前記第１電圧より低い第２電圧を出力し、前記第１電圧の出力状態から前記第２電圧の出力状態に変化した際に放電を行う電解コンデンサと、を有する第１電源回路と、
前記第１電源回路の出力電圧が前記第１電圧より低く前記第２電圧より高い第３電圧より高い時に前記第１電源回路の出力を周辺回路へ供給する第２電源回路と、前記第１電源回路の出力に接続され液晶表示装置を駆動する液晶装置駆動手段へ基準電圧を供給する基準電圧回路と、
前記基準電圧回路に接続され、スイッチ回路がオン状態のときに前記スイッチ回路を介して所定の電位と接続されることで前記基準電圧回路の入力電圧を調整する、抵抗のみで構成される電圧調整回路と、
前記電圧調整回路と直列に接続され、第２電源回路から出力電圧が供給されたときにオンして前記電圧調整回路と前記所定の電位を接続するスイッチ回路と、
前記第１電源回路の出力電圧が前記第１電圧から前記第２電圧への切替時に前記基準電圧回路の電位上昇を抑制するために直列に接続された抵抗とコンデンサから構成され、前記第１電源回路の出力電圧の前記第１電圧から前記第２電圧への切替時に発生する前記基準電圧回路の電位上昇を抑制するために、前記スイッチ回路と並列に前記電圧調整回路に接続される安定化回路と、を備える液晶表示装置の電源回路。
【請求項２】
前記安定化回路のコンデンサがチップコンデンサである請求項１に記載の液晶表示装置の電源回路。
【請求項３】
前記スイッチ回路のスイッチング素子に流れる電流が前記スイッチング素子の絶対最大定格内となるように、前記安定化回路の抵抗が選定されている請求項１または２に記載の液晶表示装置の電源回路。
【発明の詳細な説明】
【技術分野】
【０００１】
本発明は一般家庭などで使用されるジャー炊飯器などの電気調理器に用いられる液晶表示装置の電源回路に関するものである。
【背景技術】
【０００２】
近年、一般家庭などで使用されるジャー炊飯器などの電気調理器は、マイクロコンピュータを搭載し、液晶表示装置に時計機能やタイマー機能などの表示を行うものが普及している。このような電気調理器では停電時に時計機能やタイマー機能が停止するのを防ぐため、バックアップ用の電池を備えるのが一般的である。このような電気調理器における液晶表示装置の電源回路としては、例えば、特許文献１や特許文献２に記載されたものがある。
【０００３】
図４は、特許文献１に記載された従来の液晶表示装置の電源回路を示すものである。図４に示すように、マイクロコンピュータ３０１と、液晶表示装置３０２とバックアップ用の電池３０４と電池３０４への充電を防止するための逆流防止手段となるダイオード３０５からなるバックアップ電源手段３０３と、マイクロコンピュータ３０１へ電圧（ＶＤＤ、約５Ｖ）を供給する電源回路３０６と、ツェナーダイオード３１１及び電解コンデンサ３１２から構成され、電源回路３０６の電圧が所定の電圧（例えば３Ｖ）未満の場合は停電したと判断してバックアップ電源手段３０３への切換えを行うようにしているとともに、通電中はＶＤＤをバックアップ電源の電圧と同等の電圧（約３Ｖ）まで降下させてマイクロコンピュータ３０１へ供給する電源切換え手段３０７と、トランジスタ３１３及び抵抗３１４、３１５からなり、電源回路３０６から他の周辺機器へ電圧を供給するための電圧（ＶＣＣ）を生成するための電源生成手段３０８と、トランジスタ３１６及び抵抗３１７、３１８からなり、電源切換え手段３０７と電源生成手段３０８のスイッチングを共用するスイッチング共用手段３０９と、抵抗３１９、３２０、３２１、３２２からなり、マイクロコンピュータ３０１に内蔵されたドライバ（図示せず）へ電圧を分圧供給し、液晶表示装置３０２を駆動するための分圧手段３１０から構成されている。
【０００４】
そして、電池３０４の−端子はアースに接続され、＋端子はダイオード３０５のアノード端子に接続され、ダイオード３０５のカソード端子は電源回路３０６の出力端子に接続されている。また、抵抗３１４の一端は電源回路３０６の出力端子に、他端は抵抗３１５の一端に接続されており、抵抗３１４と抵抗３１５の間にトランジスタ３１３のベースが接続され、トランジスタ３１３のコレクタは電源回路３０６の出力端子に、エミッタは電圧ＶＣＣの供給端子に接続されている。また抵抗３１５の他端はトランジスタ３１６のコレクタ及び電解コンデンサ３１２のプラス側端子に接続され、トランジスタ３１６のベースは直列接続された抵抗３１７及び抵抗３１８の間のそれぞれの一端に接続され、エミッタはアースに接続されている。さらに抵抗３１７の他端は電源回路３０６の出力側に、抵抗３１８の他端はアースにそれぞれ接続されている。電解コンデンサ３１２のプラス側端子はツェナーダイオード３１１のアノード側に接続され、マイナス端子はアースに接続され、ツェナーダイオード３１１のカソード側は抵抗３１９及び３２０の一端に接続されている。なお抵抗３１９、抵抗３２０、抵抗３２１、抵抗３２２はそれぞれ直列に接続されて抵抗３１９の一端は電源回路３０６の出力端子及びマイクロコンピュータに、抵抗３２２の一端はアースに接続されるとともに抵抗３２０、抵抗３２１、抵抗３２２の両端がマイクロコンピュータ３０１に接続されている。
【０００５】
この液晶表示装置の電源回路では、通電時は電源回路３０６から電圧（ＶＤＤ、５Ｖ）
が供給されるためトランジスタ３１３、トランジスタ３１６がともにオンし、それに伴ってツェナーダイオード３１１もオンして抵抗３２０、抵抗３２１、及び抵抗３２２の直列接続部分の両端にツェナーダイオード３１１によって定まる電圧（この場合は３Ｖ）が発生し、マイクロコンピュータ３０１に供給される。一方停電になった場合は電源回路３０６からの電力はゼロになるため、トランジスタ３１３、トランジスタ３１６がともにオフとなり、ツェナーダイオード３１１もオフとなり、結果としてマイクロコンピュータ３０１には電池３０４から３Ｖの電圧が供給され、通電時、停電時ともに３Ｖの安定した電圧がマイクロコンピュータ３０１に供給される。
【特許文献１】特開２００１−２８２２０７号公報
【特許文献２】特開２００１−３５０４３７号公報
【発明の開示】
【発明が解決しようとする課題】
【０００６】
しかしながら、前記従来の構成では、電源切換え手段３０７にツェナーダイオード３１１を用いているため、コスト的に好ましくない。また、電源切換え手段３０７の電解コンデンサ３１２はツェナーダイオード３１１を介して分圧手段３１０に接続されているため、停電により電源回路３０６の出力が変化するとき、電源切換え手段３０７の動作時に分圧手段３１０への供給電圧が不安定となり液晶表示装置にクロストークが発生する恐れがある。また、電解コンデンサ３１２を使用しているため、プリント配線板上への実装スペースが大きくなり、機器の小型化の障害となり得るという課題を有していた。さらにトランジスタ３１６がオンすると電解コンデンサ３１２から放電電流が流れるが、特に放電制限抵抗を設けていないためトランジスタ３１６の絶対最大定格以上の電流が流れる恐れがあった。
【０００７】
本発明は、前記従来の課題を解決するもので、安価で安定した小型の液晶表示装置の電源回路を提供することを目的とする。
【課題を解決するための手段】
【０００８】
前記従来の課題を解決するために、本発明の液晶表示装置の電源回路は、商用交流電源通電時はＡＣ−ＤＣ電源により第１電圧を出力し、前記商用交流電源非通電時はバックアップ電源により前記第１電圧より低い第２電圧を出力し、前記第１電圧の出力状態から前記第２電圧の出力状態に変化した際に放電を行う電解コンデンサと、を有する第１電源回路と、前記第１電源回路の出力電圧が前記第１電圧より低く前記第２電圧より高い第３電圧より高い時に前記第１電源回路の出力を周辺回路へ供給する第２電源回路と、前記第１電源回路の出力に接続され液晶表示装置を駆動する液晶装置駆動手段へ基準電圧を供給する基準電圧回路と、前記基準電圧回路に接続され、スイッチ回路がオン状態のときに前記スイッチ回路を介して所定の電位と接続されることで前記基準電圧回路の入力電圧を調整する、抵抗のみで構成される電圧調整回路と、前記電圧調整回路と直列に接続され、第２電源回路から出力電圧が供給されたときにオンして前記電圧調整回路と前記所定の電位を接続するスイッチ回路と、前記第１電源回路の出力電圧が前記第１電圧から前記第２電圧への切替時に前記基準電圧回路の電位上昇を抑制するために直列に接続された抵抗とコンデンサから構成され、前記第１電源回路の出力電圧の前記第１電圧から前記第２電圧への切替時に発生する前記基準電圧回路の電位上昇を抑制するために、前記スイッチ回路と並列に前記電圧調整回路に接続される安定化回路と、を備えたものである。
【０００９】
これによって、ツェナーダイオードを使用する液晶表示装置の電源装置よりも安価でかつ前記第１電源回路の出力電圧が前記第１電圧と前記第２電圧との切替時でも安定した液晶表示装置の電源回路を提供することが可能となる。
【００１０】
また、本発明の液晶表示装置の電源回路は、前記安定化回路のコンデンサをチップコン
デンサとしたものである。
【００１１】
これによって、機器の小型化が可能となる。
【００１２】
また、本発明の液晶表示装置の電源回路は、スイッチ回路のスイッチング素子に流れる電流がスイッチング素子の絶対最大定格内となるように、安定化回路の抵抗が選定されている。
【００１３】
これによって、スイッチング素子に絶対最大定格を超える電流が流れることがなく、液晶表示装置の電源回路の信頼性を向上させることができる。
【発明の効果】
【００１４】
本発明の液晶表示装置の電源回路は、安価で電源切替時にも安定した小型の液晶表示装置の電源回路を提供することができる。
【発明を実施するための最良の形態】
【００１５】
第１の発明は、商用交流電源通電時はＡＣ−ＤＣ電源により第１電圧を出力し、前記商用交流電源非通電時はバックアップ電源により前記第１電圧より低い第２電圧を出力し、前記第１電圧の出力状態から前記第２電圧の出力状態に変化した際に放電を行う電解コンデンサと、を有する第１電源回路と、前記第１電源回路の出力電圧が前記第１電圧より低く前記第２電圧より高い第３電圧より高い時に前記第１電源回路の出力を周辺回路へ供給する第２電源回路と、前記第１電源回路の出力に接続され液晶表示装置を駆動する液晶装置駆動手段へ基準電圧を供給する基準電圧回路と、前記基準電圧回路に接続され、スイッチ回路がオン状態のときに前記スイッチ回路を介して所定の電位と接続されることで前記基準電圧回路の入力電圧を調整する、抵抗のみで構成される電圧調整回路と、前記電圧調整回路と直列に接続され、第２電源回路から出力電圧が供給されたときにオンして前記電圧調整回路と前記所定の電位を接続するスイッチ回路と、前記第１電源回路の出力電圧が前記第１電圧から前記第２電圧への切替時に前記基準電圧回路の電位上昇を抑制するために直列に接続された抵抗とコンデンサから構成され、前記第１電源回路の出力電圧の前記第１電圧から前記第２電圧への切替時に発生する前記基準電圧回路の電位上昇を抑制するために、前記スイッチ回路と並列に前記電圧調整回路に接続される安定化回路と、を備える液晶表示装置の電源回路とすることにより、ツェナーダイオードを使用していないため安価になり、かつ前記第１電源回路の出力電圧が前記第１電圧と前記第２電圧との切替時でも安定した液晶表示装置の電源回路を提供することが可能となる。
【００１６】
第２の発明は、特に、第１の発明における安定化回路のコンデンサをチップコンデンサとすることにより、コンデンサの実装スペースが小さくなり、液晶表示装置の電源回路を小型にすることができる。
【００１７】
第３の発明は、特に、第１または第２の発明において、前記スイッチ回路のスイッチング素子に流れる電流が前記スイッチング素子の絶対最大定格内となるように、前記安定化回路の抵抗が選定されているものであり、スイッチング素子に絶対最大定格を超える電流が流れることがなくなり、液晶表示装置の電源回路の信頼性を向上させることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における液晶表示装置の電源回路の一部ブロック化した回路図を示すものである。
【００２０】
図１において、第１電源回路４はＡＣ−ＤＣ電源２とダイオード３ａ抵抗３ｂ電池３ｃからなるバックアップ電源３と電解コンデンサ４ａで構成され、商用交流電源１に接続されており、商用交流電源１通電時にはＡＣ−ＤＣ電源２により第１電圧（ＤＣ５Ｖ）を出力し、商用交流電源１非通電時にはバックアップ電源３により前記第１電圧より低い第２電圧（ＤＣ３Ｖ）を出力するものである。第２電源回路５は第１電源回路に接続されており、第１電源回路４の出力電圧が第１電圧より低く第２電圧より高い第３電圧より高い時に第１電源回路４の出力を周辺回路へ供給するものである。基準電圧回路８は抵抗８ａ抵抗８ｂ抵抗８ｃ抵抗８ｄで構成されており、マイクロコンピュータ７に接続された液晶表示装置（ＬＣＤ）６を駆動するための基準電圧を、マイクロコンピュータ７に内蔵された液晶装置駆動手段（図示せず）へ供給するものである。電圧調整回路９は抵抗で構成され、第１電源回路４からの入力電圧を受け、第１電源回路４の出力電圧が第１電圧の時と第２電圧の時で略同等となるよう調整して基準電圧回路８へ出力するものである。スイッチ回路１０はトランジスタ１０ａ抵抗１０ｂ抵抗１０ｃで構成され、第２電源回路５の出力を受けて電圧調整回路９をオンオフするものである。安定化回路１１は抵抗１１ａとコンデンサ１１ｂで構成されスイッチ回路１０と並列に電圧調整回路９に接続され、第１電源回路４の出力電圧が前記第１電圧から前記第２電圧からへの切替時に基準電圧回路８の電位上昇を抑制するものである。
【００２１】
バックアップ電源３において、ダイオード３ａはカソードをＡＣ−ＤＣ電源２の出力に接続し、アノードを抵抗３ｂの一端に接続している。抵抗３ｂの他端は電池３ｃの＋端子に接続され、電池３ｃの−端子はＧＮＤに接続されている。基準電圧回路８において、抵抗８ａ抵抗８ｂ抵抗８ｃ抵抗８ｄは直列に接続され、抵抗８ａの他端は第１電源回路４の出力に接続され、抵抗８ｄの他端はＧＮＤに接続されている。抵抗８ｂ抵抗８ｃの両端はマイクロコンピュータに内蔵された液晶装置駆動手段のＶＬＣＤ１、ＶＬＣＤ２、ＶＬＣＤ３にそれぞれ接続されている。電圧調整回路９は抵抗９ａからなり、抵抗９ａの一端は抵抗８ａと抵抗８ｂの接続点に接続され、他端はスイッチ回路１０のトランジスタ１０ａのコレクタ端子と安定化回路１１の抵抗１１ａの一端に接続されている。安定化回路１１においてコンデンサ１１ｂの一端（有極コンデンサの場合は＋端子）は抵抗１１ａに接続され、コンデンサ１１ｂの他端はＧＮＤに接続されている。スイッチ回路１０においてトランジスタ１０ａのエミッタ端子はＧＮＤに接続され、トランジスタ１０ａのベース端子は抵抗１０ｂ抵抗１０ｃに接続されている。抵抗１０ｂの他端は第２電源回路に接続され、抵抗１０ｃの他端はＧＮＤに接続されている。
【００２２】
なお、抵抗８ａは３６ｋΩ、抵抗８ｂ抵抗８ｃ抵抗８ｄは２２０ｋΩ、抵抗９ａは５１ｋΩとする。
【００２３】
以上のように構成された液晶表示装置の電源回路について、以下その動作、作用を説明する。
【００２４】
商用交流電源１通電時には、第１電源回路４はＡＣ−ＤＣ電源２によりＤＣ５Ｖを出力し、第２電源回路５、マイクロコンピュータ７、基準電圧回路８に電力を供給している。このとき第２電源回路５は、第１電源回路４の出力をスイッチ回路１０へ供給しているので、スイッチ回路１０のトランジスタ１０ａはオンする。これによりＶＬＣＤ１の電位は電圧調整回路９と基準電圧回路８により定まる電圧、すなわち約２．８４Ｖとなる。このとき抵抗１１ａとコンデンサ１１ｂの接続点の電位（ＶＣ１１ｂ）は０Ｖとなる。一方、商用交流電源１非通電時には、第１電源回路４はバックアップ電源３によりＤＣ３Ｖを出力し、第２電源回路５、マイクロコンピュータ７、基準電圧回路８に電力を供給している。このとき第２電源回路５はオフしているので、スイッチ回路１０のトランジスタ１０ａはオフする。これによりＶＬＣＤ１の電位は基準電圧回路８のみにより定まる電圧、すな
わち約２．８４Ｖとなる。このとき抵抗１１ａとコンデンサ１１ｂの接続点の電位はＶＬＣＤ１の電位と同電位となる。以上の動作により商用交流電源１通電時ならびに非通電時の第１電源回路４出力安定時におけるＶＬＣＤ１の電位は略同等となる。
【００２５】
つぎに商用交流電源１非通電状態から通電状態に移行する際のＶＬＣＤ１の電位変化について説明する。商用交流電源１非通電状態から通電状態になると、第１電源回路４のＡＣ−ＤＣ電源は出力を開始し、第１電源回路４の出力電圧はバックアップ電源３のみの出力ＤＣ３ＶからＤＣ５Ｖへ上昇していく。この電圧上昇の過程において、第２電源回路５がオンするまでＶＬＣＤ１の電位は基準電圧回路８のみで定まるが、基準電圧回路８への供給電圧がＤＣ３Ｖ以上となるため、ＶＬＣＤ１の電位は安定時の約２．８４Ｖより上昇する。その後、第１電源回路４の出力電圧が第３電圧より高くなり第２電源回路５がオンすると、スイッチ回路１０のトランジスタ１０ａもオンするため、ＶＬＣＤ１の電位は基準電圧回路８のみで定まる電位から基準電圧回路８と電圧調整回路９により定まる電位に移行する。このとき基準電圧回路８への供給電圧はＤＣ５Ｖより低いので、ＶＣＬＤ１の電位は安定時の約２．８４Ｖより低下する。しかしながら、このＶＬＣＤ１の電位変化は短時間（例えば約１０ｍｓｅｃ）であり、ＶＬＣＤ１の電位変化も小さい（例えば約ＤＣ０．５Ｖ）ため、ＶＬＣＤ１変化に伴う液晶表示装置６のコントラスト変化は目立たない。なお、安定化回路１１の電位はスイッチ回路１０のオンにともない、トランジスタ１０ａのコレクタ端子は約２．８４Ｖから０Ｖに低下するが、このときコンデンサ１１ｂは抵抗１１ａを介して放電するため、電圧調整回路９が直接ＶＬＣＤ１の電位変化に影響を及ぼすことはない（図２参照）。
【００２６】
さらに商用交流電源１通電状態から非通電状態に移行する際のＶＬＣＤ１の電位変化について説明する。商用交流電源１通電状態から非通電状態になると、第１電源回路４のＡＣ−ＤＣ電源の出力が停止し、第１電源回路４の出力電圧は電解コンデンサ４ａの放電によりＤＣ５ＶからＤＣ３Ｖへ低下していく。この電圧低下過程において、第２電源回路５がオフするまではＶＬＣＤ１の電位は基準電圧回路８と電圧調整回路９により定まるが、基準電圧回路８への供給電圧がＤＣ５Ｖ以下となるため、ＶＬＣＤ１の電位は安定時の約２．８４Ｖより低下する。その後、第１電源回路４の出力電圧が第３電圧より低くなり第２電源回路５がオフすると、スイッチ回路１０のトランジスタ１０ａもオフするため、ＶＬＣＤ１の電位は基準電圧回路８と電圧調整回路９により定まる電位から基準電圧回路８のみで定まる電位に移行する。このとき基準電圧回路８への供給電圧はＤＣ３Ｖより高いので、ＶＬＣＤ１の電位は安定時の約２．８４Ｖより上昇しようとする。しかしながら、基準電圧回路８のＶＬＣＤ１には電圧調整回路９を介して安定化回路１１に接続されており、安定化回路１１を構成するコンデンサ１１ｂによりＶＬＣＤ１の電位上昇が抑制される。ＶＬＣＤ１の電位はコンデンサ１１ｂへの充電とともに上昇していくが、コンデンサ１１ｂへの充電は抵抗８ａ、抵抗９ａ、抵抗１１を介してなされるため、抵抗８ａ、抵抗９ａ、抵抗１１ａの抵抗値とコンデンサ１１ｂの静電容量の選定によりコンデンサ１１ｂの充電時定数、すなわちＶＬＣＤ１の電位上昇時間を決めることができる。このようにしてＶＬＣＤ１の電位上昇を抑制する間に第１電源回路４の出力電圧はＤＣ３Ｖへ低下してくるので、結果的に液晶表示装置に発生するクロストークを抑制することが可能となる（図３参照）。
【００２７】
以上のように、本実施の形態においては、電圧調整回路９でツェナーダイオードを使用せず抵抗を使用して構成することにより、安価な液晶表示装置の電源回路を作成することができる。また、安定化回路１１により、第１電源回路の出力電圧が第１電圧と第２電圧との切替時でもクロストークの生じ難い安定した液晶表示装置の電源回路を提供することが可能となる。
【００２８】
なお、本実施の形態では第１電圧をＤＣ５Ｖ、第２電圧をＤＣ３Ｖ、抵抗８ａを３６ｋ
Ω、抵抗８ｂ抵抗８ｃ抵抗８ｄを２２０ｋΩ、抵抗９ａを５１ｋΩとしたが、特にこの限りでなくともよい。また、スイッチ回路１０のスイッチング素子はトランジスタで構成したが、特にトランジスタでなくともよく、他の半導体スイッチング素子で構成してもよく、あるいは機械式スイッチング素子で構成してもよい。
【００２９】
（実施の形態２）
つぎに図１を用いて本発明の第２の実施の形態における液晶表示装置の電源回路を説明する。図１は、本発明の第１の実施の形態にてすでに説明済みであるが、本実施の形態において特に安定化回路１１のコンデンサ１１ｂをチップコンデンサにしたものである。
【００３０】
以上のように構成された液晶表示装置の電源回路について説明する。
【００３１】
一般的にチップコンデンサ（例えばチップセラミックコンデンサ）はリード付きコンデンサ（例えば電解コンデンサ）に比べ、静電容量は小さい。しかしながら、本実施の形態における安定化回路１１のコンデンサ１１ｂは、抵抗１１ａを介して電圧調整回路９に接続されており、コンデンサ１１ｂへの充電は、抵抗８ａ、抵抗９ａ、抵抗１１を介してなされる。このため、抵抗８ａ、抵抗９ａ、抵抗１１ａの抵抗値の選定によってはコンデンサ１１ｂに小さな静電容量のコンデンサ、すなわちチップコンデンサを使用することができる。
【００３２】
以上のように、本実施の形態においては安定化回路１１を抵抗とコンデンサで構成することにより、小さな静電容量のコンデンサを使用しても抵抗により充電時定数を大きくすることができるので、静電容量の小さいチップコンデンサの使用が可能となる。このことによりプリント配線板上への実装スペースを小さくすることができ、小型で安定した液晶表示装置の電源回路を実現することが可能となる。
【００３３】
（実施の形態３）
つぎに図１を用いて本発明の第３の実施の形態における液晶表示装置の電源回路を説明する。図１は、本発明の第１の実施の形態にてすでに説明済みであるが、本実施の形態において特にスイッチ回路１０のトランジスタ１０ａのコレクタエミッタ間に流れる最大電流値が絶対最大定格を超えないように抵抗８ａ抵抗９抵抗１１の抵抗値を選定したものである。
【００３４】
以上のように構成された液晶表示装置の電源回路について説明する。
【００３５】
商用交流電源１非通電状態から通電状態に移行する際、第１電源回路４の出力電圧の上昇に伴い、のＡＣ−ＤＣ電源は出力を開始し、第１電源回路４の出力電圧はバックアップ電源３のみの出力ＤＣ３ＶからＤＣ５Ｖへ上昇していく。この電圧上昇の過程において、第２電源回路５がオンするまでＶＬＣＤ１の電位は基準電圧回路８のみで定まるが、基準電圧回路８への供給電圧がＤＣ３Ｖ以上となるため、ＶＬＣＤ１の電位は安定時の約２．８４Ｖより上昇する。その後、第１電源回路４の出力電圧が第３電圧より高くなり第２電源回路５がオンすると、スイッチ回路１０のトランジスタ１０ａもオンするため、ＶＬＣＤ１の電位は基準電圧回路８のみで定まる電位から基準電圧回路８と電圧調整回路９により定まる電位に移行する。このとき基準電圧回路８への供給電圧はＤＣ５Ｖより低いので、ＶＣＬＤ１の電位は安定時の約２．８４Ｖより低下する。安定化回路１１の電位はスイッチ回路１０のオンにともない、トランジスタ１０ａのコレクタ端子は約２．８４Ｖから０Ｖに低下し、コンデンサ１１ｂは抵抗１１ａを介して放電する。このときトランジスタ１０ａに流れるコレクタ電流がコレクタ電流絶対最大定格を超えないように抵抗１１ａの抵抗値を選定する。トランジスタ１０ａのコレクタ電流絶対最大定格１００ｍＡであれば、抵抗１１ａ抵抗値を例えば５６Ωとすることで、商用交流電源１非通電状態から通電状
態に移行に伴うコンデンサ１１ａの放電電流をトランジスタ１０ａのコレクタ電流絶対最大定格以下とすることができる。
【００３６】
以上のように、本実施の形態において、コンデンサ１１ｂの放電時にトランジスタ１０ａのコレクタ電流絶対最大定格を超えないように抵抗１１ａの抵抗値を選定することにより、トランジスタ１０ａのコレクタ電流が絶対最大定格を超えることがなくなり、液晶表示装置の電源回路の信頼性を向上させることができる。
【産業上の利用可能性】
【００３７】
以上のように、本発明にかかる液晶表示装置の電源回路は、安価で電源切替時にも安定した小型の液晶表示装置の電源回路を提供することが可能となるので、ジャー炊飯器などの電気調理器以外の一般家庭などで使用される電子機器等の液晶表示装置の電源回路にも適用できる。
【図面の簡単な説明】
【００３８】
【図１】本発明の実施の形態における液晶表示装置の電源回路の一部ブロック化した    回路図
【図２】本発明の実施の形態における液晶表示装置の電源回路の電圧波形の一例を示    す図
【図３】本発明の実施の形態における液晶表示装置の電源回路の電圧波形の一例を示    す図
【図４】従来の液晶表示装置の電源回路の一部ブロック化した回路図
【符号の説明】
【００３９】
１  商用交流電源
２  ＡＣ−ＤＣ電源
３  バックアップ電源
３ａ  ダイオード
３ｂ  抵抗
３ｃ  電池
４  第１電源回路
５  第２電源回路
６  液晶表示装置
７  マイクロコンピュータ
８  基準電圧回路
８ａ  抵抗
８ｂ  抵抗
８ｃ  抵抗
８ｄ  抵抗
９  電圧調整回路
１０  スイッチ回路
１０ａ  トランジスタ
１０ｂ  抵抗
１０ｃ  抵抗
１１  安定化回路
１１ａ  抵抗
１１ｂ  コンデンサ
【図１】
0005245399.tif 000002
【図４】
0005245399.tif 000003
【図２】
0005245399.tif 000004
【図３】
0005245399.tif 000005